(57)【要約】【課題】  設置時に手間やコストがかからず、且つ、搬送性に優れた床置型送風機を提供する。【解決手段】  床置型送風機１０を、駆動用モータ１２が内蔵された支持台１４と、該駆動用モータ１２に連結され、且つ、支持台１４から垂直上方向に延伸した状態で支持された回転軸１８と、該回転軸１８の上端部周面に軸方向に対して直角となり、且つ該羽根２２、２２は、該回転軸１８の軸方向に対して所定の傾斜角となるように設けられていることを特徴とする。【選択図】  図１
2007303289.tif 000002
【特許請求の範囲】
【請求項１】
駆動用モータが内蔵された支持台と、該駆動用モータに連結され、且つ、該支持台から垂直上方向に延伸した状態で支持された回転軸と、該回転軸の上端部周面に軸方向に対して直角となるように設けられた複数の羽根とを有することを特徴とする床置型送風機。
【請求項２】
該羽根は、該回転軸の軸方向に対して所定の傾斜角となるように設けられていることを特徴とする請求項１に記載の床置型送風機。
【発明の詳細な説明】
【技術分野】
【０００１】
この発明は、床置型送風機に関し、更に詳しくは、室内全体の空気を循環させるために好適な床置型送風機に関するものである。
【背景技術】
【０００２】
従来省エネルギー化や低コスト化を図るために、シーリングファンと呼ばれる送風機を天井に取付けて、室内の上部に滞留した空気を循環させることが実施されている。
【０００３】
従来提案されている送風機としては、
【特許文献１】特開平５−２３８６（天井扇風機）が挙げられる。
【発明の開示】
【発明が解決しようとする課題】
【０００４】
しかしながら、前述の特許文献１に記載の送風機においては、天井に取付ける際に大掛かりな工事や、場合によっては天井の補強工事が必要であり、その結果設置時に相当の手間やコストがかかるという問題があった。
【０００５】
また、前述の特許文献１に記載の送風機においては、天井に固定した状態で使用されるため、別室で使用し、未使用時に納戸や倉庫に収納することができないという問題があった。
【０００６】
そこで、この発明は、前述した問題点に着目してなされたものであり、室内全体の空気を循環させるために好適であり、設置時に手間やコストがかからず、且つ、搬送性に優れた床置型送風機を提供することを課題としている。
【課題を解決するための手段】
【０００７】
このような課題を解決するために、この発明の第１の要旨は、駆動用モータが内蔵された支持台と、該駆動用モータに連結され、且つ、該支持台から垂直上方向に延伸した状態で支持された回転軸と、該回転軸の上端部周面に軸方向に対して直角となるように複数の羽根を設けたことを特徴とする床置型送風機である。
【０００８】
この発明の第２の要旨は、羽根を回転軸の軸方向に対して所定の傾斜角となるように設けられたことを特徴とする床置型送風機である。
【発明の効果】
【０００９】
（１）この発明の床置型送風機によれば、駆動用モータが内蔵された支持台と、駆動用モータに連結され、且つ、支持台から垂直上方向に延伸した状態で支持された回転軸と、この回転軸の上端部周面に複数の羽根を設けた構成として室内全体の空気を効率的に循環させられる。
【００１０】
（２）また、この発明に係る床置型送風機は、設置時に手間やコストがかからず、且つ、夏は涼しく、冬は暖かい空気の循環効果をもたらす優れた搬送性が得られる。
【００１１】
（３）更に、公知のシーリングファンと比較して天井を補強する必要がないので取付費用がなくなり、シーリングファンの構成上大き目の比較的軽い羽根をゆっくり回転すればよいので、小馬力のモータを設ければよい。
【００１２】
（４）加えて、この床置型送風機は、固定不要で、室内の床Ｆに置くだけであるから、室内の所望箇所へ、または部屋から部屋への移動も容易であり、シーズンオフ不要となれば納戸、倉庫等へ収納可能であり、シーリングファンに対して極めて有利となる。
【００１３】
（５）そして、この床置型送風機は、買ってきた従来の扇風機を直ぐ使用する感覚であるから、インスタント性を有し、夏に一箇所だけ冷える不都合を解消したい場合や、反対に冬に足元が冷えて困る場合等には可なりの効果を有する。
【発明を実施するための最良の形態】
【００１４】
この発明に係る床置型送風機によれば、駆動用モータが内蔵された支持台と、該駆動用モータに連結され、且つ、該支持台から垂直上方向に延伸した状態で支持された回転軸と、該回転軸の上端部周面に軸方向に対して直角となるように複数の羽根を設けたことを特徴とするものである。
【実施例１】
【００１５】
以下、この発明の実施形態について図面を参照しながら説明する。図１は、この発明に係る床置型送風機を床Ｆに設置した実施例を示す正面図であり、図２は、図１に示す床置型送風機の縦断面図であり、図３は、図１に示す床置型送風機を構成する羽根の断面図であり、（ａ）は図１のＡ−Ａ断面図、（ｂ）はＢ−Ｂ断面図である。
【００１６】
この実施形態の床置型送風機１０は、図１、２に示すように、該床Ｆに設置される支持台１４内に駆動用モータ１２を内蔵し、該駆動用モータ１２をコントローラ２４に連結する。
【００１７】
図２に示すように、該支持台１４から垂直上方向に延伸した状態で回転軸１８を支持し、該回転軸１８の上端部周面に、自在継ぎ手２０を介して軸方向に対して直角となるように２枚の羽根２２、２２を設ける。
【００１８】
前述の通り、該支持台１４に、該駆動用モータ１２を制御して該回転軸１８の回転方向や回転速度を調節するための該コントローラ２４を内蔵し、また、該支持台１４には、垂直上方向に延伸する筒状の支柱部１６が一体形成されており、該支柱部１６内に、該回転軸１８の上端部近傍を除く部分が収納されており、該支柱部１６及び該回転軸１８の長さは、設置する部屋の天井の高さに応じて決定する。
【００１９】
該羽根２２は、その長さ方向に捩れた形状となっており、図３（ａ）のＡ―Ａ断面図で示す該羽根２２の付け根の傾斜が、図３（ｂ）のＢ―Ｂ断面図で示す該羽根２２の先端の傾斜よりも大きくなっている。
【００２０】
また、該羽根２２は、該回転軸１８と自在継ぎ手４を介して連結されているため、該回転軸１８に対して直角となるように設けられた状態（図２中に実線で示す状態）にも、所定の傾斜角となるように設けられた状態（図２において破線で示す状態）にも変位自在となっている。
【００２１】
この実施形態の床置型送風機１０は、部屋の床Ｆに該支持台２を設置した状態で、該回転軸１８を反時計方向に回転させて、天井に向かう上向きの風を発生させ、又は該回転軸１８を時計方向に回転させて、床Ｆに向かう下向きの風を発生させることができる。
【００２２】
この実施形態の床置型送風機１０によれば、部屋の床Ｆに設置して使用するため、従来の天井に固定して使用する送風機（シーリングファン）と比較して、設置時に手間やコストがかからず、容易に設置できるとともに、優れた搬送性を有し、必要に応じて、別室に移動して使用し、納戸、倉庫等に収納可能となる。
【００２３】
この実施形態の該送風機１０によれば、例えば、設置する部屋の広さや天井の形状に応じて、該回転軸１８における該羽根２２の突設方向を変位させることにより、室内の空気の循環をより効率よく行うことができる。
【００２４】
なお、この実施形態の該床置型送風機１０においては、該回転軸１８を所定長さとする構成としたが、設置する部屋の天井高さに応じて該回転軸１８の長さを調節できるように、該回転軸１８を軸方向に伸縮自在な構成としてもよい。
【００２５】
また、この実施形態の該床置型送風機１０においては、該羽根２２を回転軸１８に固定した構成としたが、搬送性や収納性を考慮して、該羽根２２の付根または長さ方向の所定位置から、該回転軸１８の軸方向に沿って折りたたみ自在となる構成としてもよいし、該羽根２２の付根を該回転軸１８に対して着脱自在となる構成としてもよい。
【００２６】
さらに、この実施形態の該床置型送風機１０では、該回転軸１８の周面に２枚の該羽根２２を突設させた構成としたが、該床置型回転軸１８の周面に３枚以上の該羽根２２を放射状に突設させた構成としてもよい。
【００２７】
加えて、この実施形態の該送風機１０では、照明器具を設けてない構成としたが、従来のシーリングファンと同様に、該羽根２２の下側に照明器具を設けた構成としてもよい。
【図面の簡単な説明】
【００２８】
【図１】この発明に係る床置型送風機の一例を示す側面図である。
【図２】図１に示す床置型送風機の縦断面図である。
【図３】図１に示す床置型送風機を構成する羽根の断面図であり、（ａ）は図１のＡ−Ａ断面図、（ｂ）は図１のＢ−Ｂ断面図である。
【符号の説明】
【００２９】
１０  床置型送風機
１２  駆動用モータ
１４  支持台
１６  支柱部
１８  回転軸
２０  自在継ぎ手
２２  羽根
２４  コントローラ。
【図１】
2007303289.tif 000003
【図２】
2007303289.tif 000004
【図３】
2007303289.tif 000005